(57)【特許請求の範囲】
【請求項１】
防火区画体の貫通孔とこれに挿通された長尺体との間の隙間を閉塞する前記貫通孔よりも大なる大きさを有する盤状で、かつ、長尺体の挿通孔及びそれと外周縁とにわたる装着用切込みを形成可能な軟質の耐火材製の孔蓋体と、該孔蓋体の外周縁を防火区画体の外面における貫通孔周縁部との間で押え可能な環状で、前記長尺体に外装するために周方向一箇所が切断された押え金具とを備えているとともに、前記孔蓋体には、該孔蓋体に対する挿通孔及び装着用切込みの形成を許容する状態で該孔蓋体を落ち止め支持する耐火性落ち止め補助手段を設け、前記押え金具には、孔蓋体を貫通して、その突出端が貫通孔の内周面の周方向複数箇所に接当又は近接する舌片状の位置決め突起が固着されている防火区画体用孔閉塞冶具。
【請求項２】
前記耐火性落ち止め補助手段が、耐火ネットと耐火シートとを積層した積層シート体から構成されている請求項１記載の防火区画体用孔閉塞冶具。
【請求項３】
前記耐火性落ち止め補助手段が、前記貫通孔の開口を交差方向に跨る状態で前記防火区画体の外面の貫通孔周縁に当接可能な耐火線状体から構成されている請求項１又は請求項２記載の防火区画体用孔閉塞冶具。
【請求項４】
前記耐火線状体には、前記孔蓋体を貫通する状態で前記押え金具に係止する係止部が形成されている請求項３記載の防火区画体用孔閉塞冶具。
【発明の詳細な説明】
【０００１】
【発明の属する技術分野】
本発明は、電力、電線ケーブルなどの長尺体を挿通させるために床等に形成された貫通孔に対して、防火構造を形成する防火区画体用孔閉塞治具に関する。
【０００２】
【従来の技術】
従来、この種の防火区画体用孔閉塞治具ＡＡとしては、例えば、図７に示すように、耐火材を充填可能にした上部の受部１１１と、予めに耐熱性充填材２０１を充填してある下部の受部１１２が形成された半割筒状の合わせ枠１１０Ａ，１１０Ａを、建屋の床等に形成された貫通孔１００を挿通する電力ケーブル等の長尺体３００に対して、貫通孔部分の長尺体３００を包囲するように、上端部に形成されている掛け止め鍔１１３を、貫通孔１００周縁の外面に接当するまで落とし込んだ後、上部の受部１１１に割りリング状の底板１１４を取付けて，その上に耐火材２０２を貫通孔１００から突出する長尺体３００部分に至るまで、貫通孔１００に対応する部分には円柱状に、貫通孔１００から突出する部分には貫通孔１０２から離れる程に充填量が減少するような円錐状に充填して、貫通孔１００内の長尺体３００と、貫通孔１００から突出する長尺体３００部分に耐火構造を形成して、長尺体３００が挿通する貫通孔１０２に対する防火構造が形成されるものである。
【０００３】
そして、万が一に、例えば、床Ｂ下に火災が生じて火災加熱が貫通孔１００にまで至る場合には、下部の受部１１２の耐熱性充填材２０１が熱膨張して、貫通孔１００内の長尺体３００に延焼するのを阻止するとともに、貫通孔１００から突出する部分の長尺体３００にまで燃焼が至った場合であっても、上部の受部１１１に充填されている耐火材２０２によって、延焼を食いとめることができると言ったものである。
【０００４】
【発明が解決しようとする課題】
ところが、このような構造の防火区画体用孔閉塞治具ＡＡにおいては、貫通孔１００内部分と貫通孔１００から突出する部分とに、耐熱性充填材２０１，耐火材２０２を、受部を形成した半割筒体に支持させる構造であるので、構造が複雑で、部品点数も多い構造であるので、製品コストの低減化、及び、取付け作業時間の短縮化等の問題点を解消したい課題が存在するものであった。
【０００５】
本発明は、上述の実状に鑑みて為されたものであって、その主たる課題は、構造、組立が簡単で、製品コスト、取付けコストの低減化を図ることができるとともに、貫通孔に対して長尺体が何れの挿通箇所であっても、その挿通状態のまま貫通孔を閉塞することができる防火区画体用孔閉塞治具を提供する点にある。
【０００６】
【課題を解決するための手段】
本発明の請求項１による防火区画体用孔閉塞治具の特徴構成は、防火区画体の貫通孔とこれに挿通された長尺体との間の隙間を閉塞する前記貫通孔よりも大なる大きさを有する盤状で、かつ、長尺体の挿通孔及びそれと外周縁とにわたる装着用切込みを形成可能な軟質の耐火材製の孔蓋体と、該孔蓋体の外周縁を防火区画体の外面における貫通孔周縁部との間で押え可能な環状で、前記長尺体に外装するために周方向一箇所が切断された押え金具とを備えているとともに、前記孔蓋体には、該孔蓋体に対する挿通孔及び装着用切込みの形成を許容する状態で該孔蓋体を落ち止め支持する耐火性落ち止め補助手段を設け、前記押え金具には、孔蓋体を貫通して、その突出端が貫通孔の内周面の周方向複数箇所に接当又は近接する舌片状の位置決め突起が固着されている点にある。
【０００７】
上記特徴構成によれば、貫通孔に挿通する長尺体に耐火材からなる孔蓋体を装着することができるとともに、耐火性落ち止め及び押え金具を介して長尺体を挿通位置状態のまま貫通孔を閉塞状態にすることができるので、従来のこの種の閉塞冶具に比べて、防火区画構造を形成する部品点数が少ないとともに、取付け作業も簡単に実施することができ、製品コスト、取付けコストの低減化、及び、組付け作業時間の短縮化を図ることができる。
【０００８】
しかも、孔蓋体は、貫通孔を挿通する長尺体の該当位置に案内する装着用切込みを通して、長尺体に装着することができるので、装着用切込みを現状の長尺体挿通位置に合わせて形成することによって、貫通孔に対して長尺体が何れの挿通箇所であっても、その挿通状態位置のまま貫通孔を火災遮断性能よく閉塞することができる。
【０００９】
また、孔蓋体は盤状のものであり、押え金具も割リング状のものであるので、嵩張らず取扱い性がよいため、生産段階、製品流通段階、在庫段階、施工段階の各段階での運搬性や取扱い性を従来のものに比し、格段の向上を図ることができる。
さらに、例えば、ハサミなどの切断工具を用いて、孔蓋体を容易に切込みや切抜きを実施して、長尺体の挿通位置に対応位置する部分を刳り貫くことができるので、貫通孔を挿通する長尺体の挿通位置に対応する刳り貫きである装着用切込みを迅速且つ適切に実施することができるので、施工現場に臨機に対応した品質の高い作業を実行することがすることができる。
また、例えば、貫通孔を閉塞するように貫通孔周縁の外面に載置された孔蓋体上に、耐火材等の耐熱性充填材を手作業で肉盛りするなどして、孔蓋体自体に応力が加わるようなことがあったとしても、孔蓋体自体に保形性があること、孔蓋体が背後で耐火性落ち止め補助手段の支持を受けていること、複数箇所で位置決め突起が孔蓋体を貫通して孔蓋体の周縁部が貫通孔に落ち込もうとするのが阻止されていることによって、多少の応力に対向することができる。
【００１３】
本発明の請求項２による防火区画体用孔閉塞治具の特徴構成は、前記耐火性落止め補助手段が、耐火ネットと耐火シートとを積層した積層シート体から構成されている点にある。
【００１４】
上記特徴構成によれば、耐火性落止め補助手段を孔蓋体の貫通孔に対応する側に配備することによって、万が一の火災によって、耐火材からなる孔蓋体に加熱によるクラックが生じ耐火材が脆くなるようなことがあっても、耐火性落止め補助手段である積層シート体によって落ち止めがなされて貫通孔の閉塞状態は維持されるので、孔蓋体の火災遮断性能の向上を図ることができる。
【００１５】
しかも、耐火性落止め補助手段が積層シート体と言った肉薄厚さのものであるとともに、例えば、ハサミ等の切断工具で切断することができる耐火ネットと耐火シートである場合、予めに孔蓋体の片面に、孔蓋体の粘着性又は別に接着手段によって貼着しておくことによって、取扱い上の部品点数を少なくすることができるので、施工作業性や施工取扱い性をより向上させることができる。
【００１６】
本発明の請求項３による防火区画体用孔閉塞治具の特徴構成は、前記耐火性落ち止め補助手段が、前記貫通孔の開口を交差方向に跨る状態で前記防火区画体の外面の貫通孔周縁に当接可能な耐火線状体から構成されている点にある。
【００１７】
上記特徴構成によれば、例えば、押え金具の位置決め突起を孔蓋体に貫通した状態で、押え金具の被係止部に、例えば、鋼線、セラミック線等の耐火線状体からなるＶ字状等の耐火性落止め補助手段を係止しておき、押え金具の割リング部を通して孔蓋体に長尺体の挿通位置に対応する刳り貫きを形成して、孔蓋体を装着した状態のままで貫通孔を閉塞状態にすることによって、貫通孔の開口に交差する耐火性落止め補助手段によって、貫通孔に対応位置する孔蓋体部分を背後から支持することができ、万が一の火災によって、耐火材からなる孔蓋体に加熱によるクラックが生じる事態になることがあっても、耐火性落止め補助手段によって落ち止めされるので、孔蓋体の火災遮断性能の向上を図ることができる。
【００１８】
本発明の請求項４による防火区画体用孔閉塞治具の特徴構成は、前記耐火線状体には、前記孔蓋体を貫通する状態で前記押え金具に係止する係止部が形成されている点にある。
【００１９】
上記特徴構成によれば、耐火性落止め補助手段を孔蓋体の貫通孔に対応する側に配備することによって、万が一の火災によって、耐火材からなる孔蓋体に加熱によるクラックが生じ耐火材が脆くなるようなことがあっても、耐火性落止め補助手段の積層シート体によって落ち止めがなされて貫通孔の閉塞状態は維持されるとともに、貫通孔の開口に交差状態で配備された耐火性落止め補助手段の耐火線状体によって、例えば、孔蓋体の貫通孔に対応する部分が長期にわたって高温環境に置かれて孔蓋体の肉厚さが薄くなるような陥没による変形が生じるような場合であっても、耐火性落止め補助手段の耐火線状体によって孔蓋体を背後から支持することによって、孔蓋体が陥没による変形を阻止することができるので、孔蓋体の火災遮断性能の向上を図ることができる。
【００２２】
【発明の実施の形態】
〔第１実施形態〕
以下、本発明の第１実施形態の防火区画体用孔閉塞治具Ａを図面に基づいて説明する。
この実施形態の防火区画体用孔閉塞治具Ａは、図１〜図４に示すように、コンクリート躯体等からなる防火区画体である床Ｂに形成され、長尺体Ｃが挿通されている貫通孔１に対しての防火構造を形成するものである。図面上には、長尺体として、電線、制御線等の４本のケーブルが一組となったケーブル群Ｃを貫通孔１に挿通する例が示されている。また、通常、建屋内において、配線状態のケーブル群Ｃは、配線固定バンドや配線支持具等を介して配線経路に沿うように拘束状態の配線がなされているので、極力無だな弛みが生じないような配線状態になっており、当然に床Ｂの貫通孔１を挿通する部分においても弛みなどは極力押えられているため、貫通孔１内でケーブル群Ｃを位置変更することができる範囲は小さいことが多い。
【００２３】
防火区画体用孔閉塞治具Ａは、図１に示すように、盤状に形成されているとともに、裏面に耐火性落ち止め補助手段Ｅである積層シート体３が貼着されている耐火材からなる孔蓋体２と、下面に複数の位置決め突起４Ａ…が形成されたＣ字割リング状の押え金具４とから構成されている。
【００２４】
前記孔蓋体２は、ハサミ等の切断工具によって切込みや刳り貫きが可能、つまり、ケーブル群Ｃの挿通孔及びそれの外周縁にわたる装着用切込み２ａを形成可能な保形性、粘性を有する軟質パテ状の耐火材製の公知の耐熱性充填材から形成されているとともに、床Ｂに形成された平面視円形状の貫通孔１に挿通されたケーブル群Ｃとの間の隙間を閉塞する、貫通孔1の開口１Ａよりも大なる輪郭外径を有し、厚さは、例えば、２ｍｍ〜１０ｍｍ程度の円盤状形態のものである。
【００２５】
孔蓋体２の全裏面には、格子縞状にグラスウール糸を編成した耐火ネット３Ｂと、アルミ箔からなる耐火シート３Ｃとを一体的に積層した、耐火性落ち止め補助手段Ｅである積層シート体３が接着剤等を介して貼着されている。
前記積層シート体３は、孔蓋体２に対する挿通孔及び装着用切込み２ａの形成を許容する、つまり、前記孔蓋体２と共に挿通孔及び装着用切込み２ａを形成可能に構成されている。
【００２６】
前記押え金具４は、貫通孔1 の開口よりも大なる周方向一箇所が切断されたＣ字状輪郭の割リング体から構成され、防火区画体の貫通孔１周縁の外面Ｂ１に対応する外径を有し、また、板厚さが、例えば、０．８ｍｍ〜５ｍｍ程度の鋼板を用いて加工形成されたものである。ここで、押え金具４は、鋼板以外にもスレート材板やセラミック材板等を用いて加工形成されているものであってもよい。
【００２７】
この押え金具４において、割リング体の割れ目４Ｃと対向する金具箇所には、開口が割れ目４Ｃに向いた横溝４Ｄが形成された細幅板部分４Ｅが形成され、この細幅板部分４Ｅを中心に押え金具４を折り曲げやすくなっており、割れ目４Ｃを境にして対向する金具端部４ａ，４ａを、別々に手で掴んで上下に割れ目４Ｃ広げることによって、貫通孔１に挿通するケーブル群Ｃをリング内側に案内収容することができるようになっている。
【００２８】
押え金具４の裏面には、貫通孔の内径より僅かに小径の仮想円の円周に沿って、例えば、ほぼ９０度間隔で４つの位置決め突起４Ａ…が下面方向に突出形成されている。ここで、押え金具４は、図２，図３に示すように、施工状態では、孔蓋体２に対して位置決め突起４Ａが貫通する積層状態となるとともに、孔蓋体２を貫通した舌片状の位置決め突起４Ａ…の突出端は、貫通孔１の内周面の周方向複数箇所に当接又は近接する状態となって、貫通孔１に対する位置合わせを簡単に実施することができるようになっている。各位置決め突起４Ａの突出長さは、前記孔蓋体２の肉厚さよりも長く設定されている。各全位置決め突起４Ａは、断面形状がＬ字状の金属板の一辺を押え金具４の裏面に、スポット溶接などによって固着されている。
【００２９】
また、この第１実施形態の防火区画体用孔閉塞治具Ａにおいては、貫通孔１から突出するケーブル群Ｃ部分を包囲するように充填される耐熱性充填材Ｄが備えられており、図２〜図４に示すように、孔蓋体２から突出するケーブル群Ｃ部分を、突出先端側程、充填量が減少するような円錐状に充填されることになる。ここで、孔蓋体２に形成された装着用切込み２ａ上にも耐熱性充填材Ｄを肉盛りしてもよい。
【００３０】
このような構成によれば、貫通孔１におけるケーブル群Ｃの挿通位置を観察し、その観察位置に対応して貼着されている積層シート体３ごと孔蓋体２を、ハサミ等の切断工具を用いて、外周縁から装着用切込み２ａを入れて該当部分を切り掻いて刳り貫き、この孔蓋体の装着用切込み２ａ始端を割れ目４Ｃに合せるとともに、位置決め突起４Ａを孔蓋体２に貫通させて、孔蓋体２と押え金具４とを積層状態にして、両者を一体化する。
【００３１】
次に、貫通孔１を挿通するケーブル群Ｃに対して、押え金具４の割れ目４Ｃを開いて孔蓋体２に形成された装着用切込み２ａを介してケーブル群Ｃに孔蓋体２を装着し、この状態で孔蓋体２を貫通孔１周縁の外面Ｂ１に当接状態である載置状態に取付ける。この取付けに際して、貫通孔１内に積層シート３体を貫通する押え金具４の位置決め突起４Ａ…を収容する。
【００３２】
次に、孔蓋体２から突出するケーブル群Ｃ部分を、突出先端側程、充填量が減少するような円錐状に耐熱性充填材を充填して、当該防火区画体用孔閉塞治具Ａの施工は完了する。
【００３３】
ところで、孔蓋体２は、貫通孔１を挿通するケーブル群Ｃの該当位置に案内する装着用切込み２ａを通して、ケーブル群Ｃに孔蓋体２を装着することができるので、装着用切込み２ａを現状のケーブル群Ｃ挿通位置に対応して形成することによって、貫通孔１に対してケーブル群Ｃが何れの挿通箇所であっても、その挿通状態位置のまま貫通孔１を閉塞することができる。
【００３４】
〔第２実施形態〕
以下、本発明を適用した第２実施形態の防火区画体用孔閉塞治具Ａを説明する。ここで、第１実施形態と同一構成部分には、同一の符号を記載してその詳細は省略し、異なる点を説明する。
【００３５】
この防火区画体用孔閉塞治具Ａは、図５、図６に示すように、貫通孔１を閉塞した状態で、孔蓋体２の裏面に貼着された積層シート体３と、貫通孔１との間に、貫通孔１の開口１Ａを交差可能、つまり、貫通孔１の開口を交差方向に跨る状態で床Ｂの外面Ｂ１の貫通孔周縁に当接可能な耐火線状体５を配置した構成になっているものである。
【００３６】
前記耐火線状体５は、中央を渦巻きして平面視Ｖ字状に形成した鋼鉄製の線材から構成され、中央の渦巻き部の渦孔に下方から底皿付きのピン６を一体挿入化してあり、１８０度間隔で押え金具４位置に穿孔されたピン挿入孔４ｂ，４ｂに対して孔蓋体２を貫通する状態で押え金具４に係止する係止部であるピン部分６ａを挿入可能に構成されている。
【００３７】
この第２実施形態では、孔蓋体２の裏面に貼着された積層シート体３と耐火線状体５とから耐火性落止め補助手段Ｅが構成されている。
【００３８】
このような構成によれば、貫通孔１におけるケーブル群Ｃの挿通位置を観察し、その観察位置に対応して貼着されている積層シート体３ごと孔蓋体２を、ハサミ等の切断工具を用いて、外周縁から装着用切込み２ａを入れて該当蓋体部分を切り掻いて刳り貫き、この孔蓋体２の装着用切込み２ａ始端を割れ目４Ｃに重ねあわせた状態にするとともに、位置決め突起４Ａを孔蓋体２に貫通させて、孔蓋体２と押え金具４とを積層状態にして、両者を一体化する。
【００３９】
次に、貫通孔１を挿通するケーブル群Ｃに対して、押え金具４の割れ目４Ｃを介して孔蓋体２に形成された装着用切込み２ａを開いてケーブル群Ｃに孔蓋体２を装着する。
【００４０】
次に、予めに、貫通孔１の開口１Ａを１８０度間隔で交差するように載置してある一対の耐火線状体５に対して、ケーブル群Ｃを挿通する孔蓋体２と押え金具４とを載置する。この載置に際して、底皿付きのピン６のピン部分６ａを孔蓋体２の裏面側から貫通して、その貫通突出する係止部であるピン部分６ａを、押え金具４の被係止部であるピン挿入孔４ｂに挿入して係止し、挿入孔４ｂから更なる挿入突出するピン部分６ａがある場合には、ペンチ等を用いて折り曲げ処理しておく。
この耐火線状体５は、孔蓋体２に対する挿通孔及び装着用切込み２ａの形成を許容する、つまり、前記挿通孔及び装着用切込み２ａを形成したのちの孔蓋体２に対して取付け可能に構成されている。
【００４１】
次に、孔蓋体２から突出するケーブル群Ｃ部分を、突出先端側程、充填量が減少するような円錐状に耐熱性充填材を充填して、当該防火区画体用孔閉塞治具Ａの施工は完了する。
【００４２】
尚、上記とは異なって、押え金具４の１８０度間隔位置に下向きの係止ピンを垂下設した構成にしておき、貫通孔１への閉塞の際に、耐火線状体５のＶ字中央部の渦巻き孔に、ピン部分を係止状態にする構成であってもよい。
【００４３】
〔その他の実施形態〕
１）  上記各実施形態では、孔蓋体２の裏面に耐火性落止め補助手段Ｅである積層シート体３を貼着するものについて説明したが、本発明はこれに限らず、耐熱性充填材にガラスウール等を混ぜ込んだ構成にすることによって、保形性を高めた構成にしてもよい。
この場合、孔蓋体２の形成段階を利用して、保形性を高める素材を混合することによって、耐火性落止め補助手段Ｅを孔蓋体２と一体化した構成を形成するこも可能になるため、孔蓋体２とは別の耐火性落止め補助手段Ｅを貼着する必要ないため、部品点数の削減化を図ることができる。
【００４４】
２）  上記第２実施形態では、孔蓋体２の裏面に貼着された積層シート体３と耐火線状体５とから耐火性落止め補助手段Ｅを構成するものについて説明したが、積層シート体３は設けず耐火線状体５単独で耐火性落止め補助手段Ｅを構成するものであってもよい。
【００４５】
３）  上記実施形態では、電線や制御線等のケーブル群Ｃを対象にする防火区画体用孔閉塞治具Ａについて説明したが、本発明はこれに限らず、空調機に用いられる空調用冷媒配管等を対象にする防火区画体用孔閉塞治具Ａに適用するものであってもよい。
【００４６】
４）  上記各実施形態の孔蓋体２、積層シート体３、押え金具４の輪郭形状は、平面視で円形状の板体のものについて説明したが、これに限らず、貫通孔１の内径よりも大きな外径を有する楕円形状、方形形状であってもよい。
【００４７】
５）  上記各実施形態では、孔蓋体２から突出するケーブル群Ｃ部分を耐熱性充填材によって外嵌包囲するものについて説明したが、本発明はこれに限らず、このような、孔蓋体２から突出するケーブル群Ｃ部分を耐熱性充填材によって外嵌包囲する構成を用いないものであってもよい。
この場合、孔蓋体２自体の厚さを厚肉にしたものを用いて、貫通孔１の閉塞性及びケーブル群Ｃ部分の耐火性能の向上を得るものであってもよい。
【００４８】
【図面の簡単な説明】
【図１】本発明を適用した第１実施形態の防火区画体用孔閉塞治具を示す分解斜視図
【図２】防火区画体用孔閉塞治具を貫通孔周縁の外面に取付けた状態を示す簡略斜視図
【図３】防火区画体用孔閉塞治具を取付けた状態を示す断面図
【図４】貫通孔を挿通する長尺体を防火区画体用孔閉塞治具で閉塞した状態を示す簡略平面図
【図５】防火区画体用孔閉塞治具を貫通孔周面の外面に取付けた状態を示す簡略斜視図
【図６】本発明を適用した第２実施形態の防火区画体用孔閉塞治具を示す分解斜視図
【図７】従来の防火区画体用孔閉塞治具を示す簡略断面図
【符号の説明】
Ａ            防火区画体用孔閉塞治具
Ｂ            床（防火区画体）
Ｂ１          貫通孔周縁の外面
Ｃ            ケーブル群（長尺体）
Ｄ            耐熱性充填材
Ｅ            耐火性落ち止め補助手段
１            貫通孔
２            孔蓋体
２Ｂ          耐火ネット
２Ｃ          耐火シート
３            積層シート体
５            耐火線状体
【図１】
0003935769.tif 000002
【図２】
0003935769.tif 000003
【図３】
0003935769.tif 000004
【図４】
0003935769.tif 000005
【図５】
0003935769.tif 000006
【図６】
0003935769.tif 000007
【図７】
0003935769.tif 000008